(57)【要約】【課題】同一の半導体集積装置（ＩＣ）によって構成され、各種の蓄電池種類及び蓄電池構成に対応して蓄電池の状態を検出・監視することができる蓄電池監視装置を提供する。【解決手段】  蓄電池監視装置１０１の通信手段１０５が、上位システム１０６から監視対象の蓄電池１０２の種類又は構成に関する設定情報（測定パラメータ）を受信する。すると、設定手段１０７は、その測定パラメータを取得して測定手段１０３やディジタル信号変換手段１０４に対して設定する。つまり、設定手段１０７は、蓄電池１０２の種類又は構成に対応して、測定時間間隔、測定チャネル数、及び測定レンジなどの測定パラメータを測定手段１０３及びディジタル信号変換手段１０４に対して設定する。これによって、蓄電池監視装置１０１は、蓄電池１０２の種類や構成が変わっても蓄電池１０２の充電状態などを正確に測定・監視することが可能となる。【選択図】図１
2008039443.tif 000002
【特許請求の範囲】
【請求項１】
蓄電池の電圧、電流、温度の少なくとも１つを測定する測定手段と、測定されたアナログ信号をディジタル信号に変換するディジタル信号変換手段と、外部と通信を行う通信手段とを備えた、ＩＣ化された蓄電池監視装置であって、
前記通信手段が外部から受信した情報又は複数のＩＣ端子に入力されたディジタル情報により、監視対象となる蓄電池の種類又は構成に応じた測定パラメータの設定を行う設定手段を備えることを特徴とする蓄電池監視装置。
【請求項２】
蓄電池の電圧、電流、温度の少なくとも１つを測定する測定手段と、測定されたアナログ信号をディジタル信号に変換するディジタル信号変換手段と、外部と通信を行う通信手段とを備えた、ＩＣ化された蓄電池監視装置であって、
前記通信手段が前記蓄電池から取得した情報により、監視対象となる蓄電池の種類又は構成に応じた測定パラメータの設定を行う設定手段を備えることを特徴とする蓄電池監視装置。
【請求項３】
前記測定パラメータは、前記蓄電池の測定時間間隔、測定チャネル数、測定レンジの少なくとも１つであることを特徴とする請求項１又は請求項２に記載の蓄電池監視装置。
【請求項４】
前記測定パラメータを格納し、前記通信手段が外部から受信した情報又は前記ＩＣ端子に印加されたディジタル情報に対応させて、この測定パラメータを提示する固定メモリを備えることを特徴とする請求項１に記載の蓄電池監視装置。
【請求項５】
前記測定パラメータを格納し、前記通信手段が前記蓄電池から取得した情報に対応させて、この測定パラメータを提示する固定メモリを備えることを特徴とする請求項２に記載の蓄電池監視装置。
【請求項６】
前記ディジタル信号変換手段が変換した前記蓄電池の電圧、電流、温度のディジタル測定値を任意の時間間隔で所望の値に演算する演算手段を備えることを特徴とする請求項１又は請求項２に記載の蓄電池監視装置。
【請求項７】
前記所望の値は、前記蓄電池の電圧、電流、温度のディジタル測定値の任意の時間間隔における平均値、最大値、最小値の少なくとも１つであることを特徴とする請求項６に記載の蓄電池監視装置。
【請求項８】
前記蓄電池の種類又は構成に応じた測定パラメータの設定は、この蓄電池の監視を開始する直前に行うことを特徴とする請求項１又は請求項２に記載の蓄電池監視装置。
【請求項９】
蓄電池監視装置によって電圧、電流、温度の少なくとも１つが監視される蓄電池であって、
蓄電池の種類又は構成に関する情報を外部へ送信する蓄電池通信手段を備えることを特徴とする蓄電池。
【請求項１０】
前記情報は、前記蓄電池の種類又は構成に応じた測定パラメータであることを特徴とする請求項９に記載の蓄電池。
【発明の詳細な説明】
【技術分野】
【０００１】
本発明は、蓄電池の充電状態や残存容量などを監視する蓄電池監視装置、及び監視対象となる蓄電池に関する。
【背景技術】
【０００２】
蓄電池を用いた電源装置によって走行するハイブリッド自動車や電気自動車は、蓄電池を安全かつ有効に使用するために、その蓄電池の状態を検知しながら制御を行うバッテリコントローラ又は蓄電池監視装置を搭載している。このとき、バッテリコントローラや蓄電池監視装置が行う蓄電池の状態検知の種類は、どの程度まで充電されているか、あるいは、どの程度放電可能な電荷量が残っているかを示す充電状態（SOC：State Of Charge）や残存容量、どの程度まで蓄電池の劣化が進行しているかを示す健康状態（SOH：State Of Health）などである。
【０００３】
例えば、ハイブリッド自動車に使用される蓄電池において、バッテリコントローラは蓄電池のSOCやSOHなどの状態検知を行い、その結果を、制御機器向け通信プロトコルの一種であるCAN（Controller Area Network）を用いてビークルコントローラなどの上位システムに伝達している。そして、ビークルコントローラは蓄電池の状態に基づいて蓄電池を使用している。また、蓄電池監視装置としては、蓄電池の電圧、電流、温度を検出してSOCやSOHなどの状態に応じた処理をマイクロコンピュータによって行っている（例えば、特許文献１及び特許文献２参照）。また、ＣＰＵを用いて蓄電池の電圧、電流、温度の監視を行うことができるＩＣ化された蓄電池監視装置の技術も報告されている（例えば、特許文献３参照）。
【特許文献１】特開平８−３１３６０６号公報（段落番号０００９〜００２２、及び図１、図２参照）
【特許文献２】特開２００２−２４３８１３公報（段落番号０００９〜００２３、及び図１〜図７参照）
【特許文献３】特開２００４−３０１７８１公報（段落番号００２０〜００２８、及び図１参照）
【発明の開示】
【発明が解決しようとする課題】
【０００４】
しかしながら、前記の特許文献１及び特許文献２に開示された蓄電池監視装置は、演算手段であるマイクロコンピュータＩＣの他に、電源電圧を生成するための電圧レギュレータＩＣ、クロック信号を生成するための水晶振動子又はセラミック振動子、蓄電池の状態を測定する測定手段、ディジタル信号変換手段であるＡ／Ｄ(Analog Digital)変換部品、及び基準電圧生成部品など、多くの周辺要素がＩＣやディスクリート部品によって構成されている。したがって、蓄電池監視装置を構成する部品点数が多くなり、装置の容積が大きくなってしまう。
【０００５】
そこで、これらの部品点数を削減するために、特許文献３の技術のように周辺要素を集積化して１チップ化したり、ハイブリッド構成にしてＳｉＰ(System in Package)化したりすることにより、蓄電池監視装置に必要な測定手段、ディジタル信号変換手段、通信手段、さらには演算手段も含めて１つの半導体集積装置（ＩＣ）で構成することができる。しかし、特許文献３の蓄電池監視装置においては、同一の蓄電池種類又は同一の蓄電池構成に対しては蓄電池の電圧、電流、温度を検出・監視することができるが、鉛蓄電池とリチウムイオン電池と云うように蓄電池の種類が異なったり、セルの直並列組合せ個数による蓄電池構成が異なったりすると対応することができない。つまり、特許文献３の蓄電池監視装置はＩＣ化によって小型化されているが、蓄電池の種類や構成に応じた測定パラメータ（例えば、測定時間間隔、測定チャネル数、測定レンジなど）に応じた検出・監視を行うことができない。
【０００６】
本発明は、以上のような事情に鑑みてなされたものであり、蓄電池の種類又は構成に応じて蓄電池の状態を検出・監視することができる蓄電池監視装置、及び監視対象となる蓄電池を提供することを課題とする。
【課題を解決するための手段】
【０００７】
本発明の蓄電池監視装置は、ＩＣチップ又はハイブリッドＩＣなどのＩＣによって構成された蓄電池監視装置であって、上位システムなどの外部から蓄電池監視装置の通信手段が受信した情報又はＩＣ端子に電位固定されたディジタル情報に基づいて、設定手段が、監視対象となる蓄電池の種類又は構成に応じた測定パラメータの設定を行うことを特徴とする。このような設定手段による測定パラメータの設定により、検出・監視される蓄電池の種類又は構成が変わっても、同一の蓄電池監視装置によって、それぞれの蓄電池の電圧、電流、温度などを自動的に測定することができる。
【発明の効果】
【０００８】
本発明によれば、蓄電池の種類又は構成に応じて蓄電池の状態を検出・監視することができる蓄電池監視装置、及び監視対象となる蓄電池を提供することができる。
【発明を実施するための最良の形態】
【０００９】
《本発明の概要》
本発明の蓄電池監視装置においては、蓄電池の電圧、電流、温度を測定する蓄電池監視装置が同一のＩＣによって構成され、測定対象の蓄電池の種類あるいは構成に応じた測定パラメータの設定を上位システムからの通信又はＩＣ端子に印加された電位固定のディジタル情報によって行うことができる。すなわち、測定対象の蓄電池の種類あるいは構成に応じて、電圧、電流、温度の測定時間間隔や、測定チャネル数や、測定レンジを上位システムからの通信又はＩＣ端子に印加される電位固定のディジタル情報によって設定することができる。これにより、部品点数を削減して小スペース化と高信頼性が可能になると共に複数種類の蓄電池に対応することが可能な蓄電池監視装置を実現することができる。
【００１０】
以下、図面を参照しながら本発明の蓄電池監視装置について幾つかの実施形態を用いて詳細に説明するが、以下の説明では、説明の便宜上、蓄電池と蓄電池監視装置と上位システムとを備える蓄電池監視システムについて説明する。
【００１１】
《第１実施形態》
図１は、本発明の第１実施形態に適用される蓄電池監視システムの構成図である。図１において、蓄電池監視システム２００は、蓄電池監視装置１０１と、蓄電池１０２と、上位システム１０６とによって構成されている。また、蓄電池監視装置１０１は、測定手段１０３、ディジタル信号変換手段１０４、通信手段１０５、及び設定手段１０７によって構成されている。さらに、この蓄電池監視装置１０１は、１チップ化又はＳｉＰ化された半導体集積装置（ＩＣ）によって構成されている。
【００１２】
蓄電池１０２は、鉛蓄電池、ニッケル水素電池、リチウムイオン電池、燃料電池などの電力貯蔵機能を有するデバイスによって構成されている。測定手段１０３は、蓄電池１０２の測定対象となる電圧、電流、温度の少なくとも１つを測定するセンサや電気／電子回路によって構成されている。ディジタル信号変換手段１０４は、測定手段１０３が測定した蓄電池１０２の測定値をアナログ信号からディジタル信号に変換するＡ／Ｄ変換器によって構成されている。
【００１３】
通信手段１０５は、ＣＡＮ（Controller Area Network）、ＬＩＮ（Local Interconnect Network）、ＵＡＲＴ（Universal Asynchronous Receiver Transmitter）、ブルートゥース（登録商標）などのシリアル信号を通信する回路、又は、フォトカプラやリレーなどのＯＮ−ＯＦＦ信号を通信する回路によって構成されている。この通信手段１０５は、上位システム１０６との間で通信を行う。上位システム１０６は、例えばハイブリッド自動車の用途においてはビークルコントローラやモータコントローラなどの蓄電池の状態に基づき蓄電池を使用する上位のコントローラから成る。
【００１４】
このような構成において、蓄電池監視装置１０１は、通信手段１０５によって上位システム１０６から監視対象である蓄電池１０２の種類又は構成に関する設定情報（つまり、測定条件を示すパラメータであり、以下、「測定パラメータ」という）を受信し、測定手段１０３やディジタル信号変換手段１０４に対して設定手段１０７を用いて蓄電池１０２における測定条件の設定（つまり、測定パラメータの設定）を行う。設定手段１０７は、フリップフロップやレジスタやＳＲＡＭなどの記憶回路を用いて通信手段１０５より受信した設定情報を保存する。なお、このときの設定情報は測定パラメータである場合もあるし、蓄電池の種類や構成である場合もある。
【００１５】
つまり、設定手段１０７により、蓄電池１０２の種類又は構成に対応して、測定時間間隔、測定チャネル数、測定レンジなどの測定パラメータを測定手段１０３及びディジタル信号変換手段１０４に対して設定する。例えば、蓄電池種類が鉛蓄電池の場合は、測定時間間隔が１ｍｓ、測定チャネル数が５、測定レンジが０〜４８Ｖというように測定パラメータを設定し、蓄電池種類がリチウムイオン電池の場合は、測定時間間隔が５ｍｓ、測定チャネル数が１０、測定レンジが０〜４２Ｖというように測定パラメータを設定する。そして、測定手段１０３やディジタル信号変換手段１０４はこれらの測定パラメータの設定値に対応した動作を行う。なお、設定手段１０７による測定パラメータの設定は蓄電池１０２の監視を開始する前に行う必要があるため、蓄電池監視装置１０１の起動時に測定パラメータの設定を行う。
【００１６】
本実施形態によれば、同一のＩＣから成る蓄電池監視装置を異なる種類の蓄電池又は異なる蓄電池構成に対して適用することができる。したがって、各種蓄電池の種類又は構成に対して同一構成のＩＣから成る蓄電池監視装置を用いることが可能となり、部品点数の削減による小スペース化と高信頼性を実現することが可能となる。
【００１７】
《第２実施形態》
図２は本発明の第２実施形態に適用される蓄電池監視システムの構成図である。図２に示す第２実施形態の蓄電池監視システム２０５の構成は、第１実施形態の蓄電池監視システム２００の構成と異なり、設定手段１０７は通信手段１０５からの情報によって動作するのではなく、ＩＣで構成された蓄電池監視装置１１０のＩＣ端子２０１を用いて、ＩＣの外部よりＨｉｇｈ（Ｈ）又はＬｏｗ（Ｌ）の電位固定で与えられるディジタル情報により、設定手段１０７が、蓄電池１０２の種類又は構成に対応して測定手段１０３やディジタル信号変換手段１０４に対して測定パラメータを設定する。
【００１８】
例えば、ＩＣ端子２０１が“０００１”のディジタル情報を受信したときは、設定手段１０７は、“０００１” のディジタル情報に対応するロジックを読み出し、蓄電池１０２の種類又は構成に対応する測定パラメータ（測定時間間隔、測定チャネル数、測定レンジなど）に変換して測定手段１０３やディジタル信号変換手段１０４に対して測定パラメータの設定を行う。なお、設定手段１０７は、ＩＣ端子２０１から電位固定のディジタル情報（Ｈ／Ｌ）を取得するためにフリップフロップ等の記憶回路によって構成されている。また、図２における通信手段１０５は、図１のように上位システム１０６からの設定情報は受信しないが、測定手段１０３が測定した電圧、電流、温度の情報を上位システム１０６へ送信する。
【００１９】
《第３実施形態》
図３は本発明の第３実施形態に適用される蓄電池監視システムの構成図である。図３に示す第３実施形態の蓄電池監視システム２１０の蓄電池監視装置１１５は、図１に示す第１実施形態の蓄電池監視システム２００の構成に対して、演算手段３０１が追加されている。この演算手段３０１は、マイクロコンピュータ、マイクロプロセッサ、又はロジック回路から成り、測定手段１０３とディジタル信号変換手段１０４によって得られた蓄電池１０２の電圧、電流、温度のディジタル測定値に対し、それぞれの平均値、最大値、最小値などを演算したり、蓄電池１０２のＳＯＣやＳＯＨなどの状態を検知したりする。例えば、演算手段３０１は、測定手段１０３が蓄電池１０２の電圧値を１０パルスサンプリングしたとき、そのサンプリングパルスの平均値を演算したり最大値や最小値を求めたりする。このようにして演算された蓄電池１０２の電圧、電流、温度の平均値、最大値、最小値などは、通信手段１０５から上位システム１０６へ送信される。
【００２０】
また、通信手段１０５が上位システム１０６から監視対象の蓄電池１０２の蓄電池種類又は蓄電池構成に関する設定情報（測定パラメータ）を受信すると、設定手段１０７は、その設定情報（測定パラメータ）を通信手段１０５から取得して測定手段１０３やディジタル信号変換手段１０４や演算手段３０１に対して測定パラメータの設定を行う。
【００２１】
《第４実施形態》
図４は本発明の第４実施形態に適用される蓄電池監視システムの構成図である。図４に示す第４実施形態の蓄電池監視システム２１５の蓄電池監視装置１２０は、図２に示す第２実施形態の蓄電池監視システム２０５に対して、演算手段３０１が追加される構成である。この演算手段３０１は、図３に示す第３実施形態の演算手段３０１と同じものであり、蓄電池１０２の電圧、電流、温度のディジタル測定値に対し、それぞれの平均値、最大値、最小値などを演算したり、蓄電池１０２のＳＯＣやＳＯＨなどの状態を検知したりする。
【００２２】
また、蓄電池監視装置１２０のＩＣ端子２０１を用いてＩＣの外部より電位固定（Ｈ／Ｌ）で与えられるパラレルディジタル情報により、設定手段１０７は、蓄電池１０２の種類又は構成に対応して、測定手段１０３やディジタル信号変換手段１０４や演算手段３０１に対して測定パラメータの設定を行う。したがって、上位システム１０６は、測定パラメータを通信手段１０５へ送信する機能を備える必要はない。
【００２３】
《第５実施形態》
図５は本発明の第５実施形態に適用される蓄電池監視システムの構成図である。図５に示す第５実施形態の蓄電池監視システム２２０の蓄電池監視装置１２５は、図１に示す第１実施形態の蓄電池監視システム２００に対して、固定メモリ５０１が追加された構成となっている。
【００２４】
固定メモリ５０１は、蓄電池１０２の種類又は構成に対応した測定時間間隔、測定チャネル数、測定レンジなどの測定パラメータが予め格納されている。したがって、通信手段１０５が、上位システム１０６から監視対象となる蓄電池１０２の種類又は構成に関する情報を受信すると、設定手段１０７は、通信手段１０５から取得した蓄電池１０２の種類又は構成に関する情報に基づいて、固定メモリ５０１に格納されている対応する測定パラメータ（つまり、測定時間間隔、測定チャネル数、測定レンジなど）を参照し、測定手段１０３やディジタル信号変換手段１０４に対してその測定パラメータの設定を行う。つまり、上位システム１０６は、通信手段１０５に対して測定条件に関する測定パラメータを送信する必要はなく、蓄電池１０２の種類又は構成に関する情報のみを通信手段１０５へ送信すればよい。
【００２５】
《第６実施形態》
図６は本発明の第６実施形態に適用される蓄電池監視システムの構成図である。図６に示す第６実施形態の蓄電池監視システム２２５の蓄電池監視装置１３０は、図２に示す第２実施形態の蓄電池監視システム２０５に対して、固定メモリ５０１が蓄電池監視装置１３０に追加された構成となっている。
【００２６】
蓄電池監視装置１０１のＩＣ端子２０１を用いて、ＩＣの外部より電位固定（Ｈ／Ｌ）で与えられるディジタル情報によって蓄電池１０２の種類又は構成を識別する。そして、設定手段１０７が、ＩＣ端子２０１から取得した蓄電池１０２の種類又は構成に関するディジタル情報に基づいて、固定メモリ５０１から対応する測定パラメータ（つまり、測定時間間隔、測定チャネル数、測定レンジなど）を参照し、測定手段１０３やディジタル信号変換手段１０４に対してその測定パラメータの設定を行う。つまり、ＩＣ端子２０１は、固定電位によるパラレルディジタル情報によって測定パラメータを受信する必要はなく、固定電位によるディジタル情報によって蓄電池１０２の種類又は構成に関する情報のみを受信すればよい。言い換えると、ＩＣ端子２０１は“１０”、“００”…などのシンプルなディジタル情報を受信すればよいので、端子のピン数を減らすことができる。
【００２７】
《第７実施形態》
図７は本発明の第７実施形態に適用される蓄電池監視システムの構成図である。図７に示す第７実施形態の蓄電池監視システム２３０の蓄電池監視装置１３５は、図３に示す第３実施形態の蓄電池監視システム２１０に対して、固定メモリ５０１が追加された構成となっている。
【００２８】
通信手段１０５が、上位システム１０６から監視対象である蓄電池１０２の種類又は構成に関する情報を受信すると、設定手段１０７は、通信手段１０５から取得した蓄電池１０２の種類又は構成に関する情報に基づいて、固定メモリ５０１から対応する測定パラメータ（つまり、測定時間間隔、測定チャネル数、測定レンジなど）を参照し、測定手段１０３やディジタル信号変換手段１０４や演算手段３０１に対してその測定パラメータの設定を行う。なお、演算手段３０１が行う動作は図３に示す第３実施形態の場合と同じであるので、その説明は省略する。
【００２９】
《第８実施形態》
図８は本発明の第８実施形態に適用される蓄電池監視システムの構成図である。図８に示す第８実施形態の蓄電池監視システム２３５の蓄電池監視装置１４０は、図４に示す第４実施形態の蓄電池監視システム２１５の構成に対して固定メモリ５０１が追加された構成となっている。
【００３０】
蓄電池監視装置１０１のＩＣ端子２０１を用いてＩＣの外部より電位固定（Ｈ／Ｌ）で与えられるディジタル情報により蓄電池１０２の種類又は構成を識別すると、設定手段１０７が、ＩＣ端子２０１から取得した蓄電池１０２の種類又は構成に関するディジタル情報に基づいて、固定メモリ５０１から対応する測定パラメータを参照し、測定手段１０３やディジタル信号変換手段１０４や演算手段３０１に対してその測定パラメータの設定を行う。
【００３１】
《第９実施形態》
図９は本発明の第９実施形態に適用される蓄電池監視システムの構成図である。図９に示す第９実施形態の蓄電池監視システム２４０の構成が、図１に示す第１実施形態の蓄電池監視システム２００と異なる点は、蓄電池９１０に蓄電池通信手段９０２が内蔵されている点である。
【００３２】
したがって、第９実施形態の蓄電池監視システム２４０においては、蓄電池監視装置１４５の通信手段１０５は、上位システム１０６から蓄電池９１０の種類又は構成に関する設定情報を受信するのではなく、蓄電池９１０に内蔵された蓄電池通信手段９０２からその蓄電池９１０の種類又は構成に関する設定情報（測定パラメータ）を受信する。これによって、設定手段１０７は、通信手段１０５から取得した蓄電池９１０の種類又は構成に関する設定情報（測定パラメータ）に基づいて、測定手段１０３やディジタル信号変換手段１０４に対して測定パラメータの設定を行う。
【００３３】
《第１０実施形態》
図１０は本発明の第１０実施形態に適用される蓄電池監視システムの構成図である。図１０に示す第１０実施形態の蓄電池監視システム２４５が、図３に示す第３実施形態の蓄電池監視システム２１０と異なる点は、蓄電池９１０に蓄電池通信手段９０２が内蔵されている点である。
【００３４】
したがって、蓄電池監視システム２４５においては、蓄電池監視装置１５０の通信手段１０５は、上位システム１０６から蓄電池９１０の蓄電池種類又は蓄電池構成に関する設定情報を受信するのではなく、蓄電池９１０に内蔵された蓄電池通信手段９０２からその蓄電池９１０の種類又は構成に関する設定情報（測定パラメータ）を受信する。これによって、設定手段１０７は、測定手段１０３やディジタル信号変換手段１０４や演算手段３０１に対して測定パラメータの設定を行う。
【００３５】
《第１１実施形態》
図１１は本発明の第１１実施形態に適用される蓄電池監視システムの構成図である。図１１に示す第１１の実施形態蓄電池監視システム２５０の蓄電池監視装置１５５は、図９に示す第９実施形態の蓄電池監視システム２４０に対して固定メモリ５０１が追加された構成である。
【００３６】
蓄電池９１０に内蔵された蓄電池通信手段９０２から蓄電池監視装置１５５の通信手段１０５への通信により、通信手段１０５が、監視対象の蓄電池９１０の種類又は構成に関する情報を受信する。これにより、設定手段１０７は、通信手段１０５から取得した蓄電池９１０の種類又は構成に関する情報に基づいて、固定メモリ５０１から対応する測定パラメータを参照し、測定手段１０３やディジタル信号変換手段１０４に対して測定パラメータの設定を行う。
【００３７】
《第１２実施形態》
図１２は本発明の第１２実施形態に適用される蓄電池監視システムの構成図である。図１２に示す第１２実施形態の蓄電池監視システム２５５の蓄電池監視装置１６０は、図１０に示す第１０の実施形態の蓄電池監視システム２４５に対して固定メモリ５０１が追加された構成である。
【００３８】
蓄電池９１０に内蔵された蓄電池通信手段９０２から蓄電池監視装置１６０の通信手段１０５への通信により、通信手段１０５が、監視対象の蓄電池９１０の種類又は構成に関する情報を受信する。これにより、設定手段１０７は、通信手段１０５から取得した蓄電池９１０の種類又は構成に関する情報に基づいて、固定メモリ５０１から対応する測定パラメータを参照し、測定手段１０３やディジタル信号変換手段１０４や演算手段３０１に対して測定パラメータの設定を行う。
【産業上の利用可能性】
【００３９】
本発明の蓄電池監視装置は、ＩＣ化によって小型化されていると共に多種類の蓄電池に対応することができるので、電気自動車やハイブリッド自動車への利用だけではなく通信機器や産業機器などあらゆる分野に利用することができる。
【図面の簡単な説明】
【００４０】
【図１】本発明の第１実施形態に適用される蓄電池監視システムの構成図である。
【図２】本発明の第２実施形態に適用される蓄電池監視システムの構成図である。
【図３】本発明の第３実施形態に適用される蓄電池監視システムの構成図である。
【図４】本発明の第４実施形態に適用される蓄電池監視システムの構成図である。
【図５】本発明の第５実施形態に適用される蓄電池監視システムの構成図である。
【図６】本発明の第６実施形態に適用される蓄電池監視システムの構成図である。
【図７】本発明の第７実施形態に適用される蓄電池監視システムの構成図である。
【図８】本発明の第８実施形態に適用される蓄電池監視システムの構成図である。
【図９】本発明の第９実施形態に適用される蓄電池監視システムの構成図である。
【図１０】本発明の第１０実施形態に適用される蓄電池監視システムの構成図である。
【図１１】本発明の第１１実施形態に適用される蓄電池監視システムの構成図である。
【図１２】本発明の第１２実施形態に適用される蓄電池監視システムの構成図である。
【符号の説明】
【００４１】
１０１，１１０，１１５，１２０，１２５，１３０，１３５，１４０，１４５，１５０，１５５，１６０  蓄電池監視装置
１０２，９１０  蓄電池
１０３  測定手段
１０４  ディジタル信号変換手段
１０５  通信手段
１０６  上位システム
１０７  設定手段
２００，２０５，２１０，２１５，２２０，２２５，２３０，２３５，２４０，２４５，２５０，２５５  蓄電池監視システム
２０１  ＩＣ端子
３０１  演算手段
５０１  固定メモリ
９０２  蓄電池通信手段
【図１】
2008039443.tif 000003
【図２】
2008039443.tif 000004
【図３】
2008039443.tif 000005
【図４】
2008039443.tif 000006
【図５】
2008039443.tif 000007
【図６】
2008039443.tif 000008
【図７】
2008039443.tif 000009
【図８】
2008039443.tif 000010
【図９】
2008039443.tif 000011
【図１０】
2008039443.tif 000012
【図１１】
2008039443.tif 000013
【図１２】
2008039443.tif 000014